(57)【要約】【課題】  スキュー調整を簡単に行うと共に、スキュー調整を行う調整機構を省スペースで装置内に配置することを課題とする。【解決手段】  光ピックアップ５００から照射される光のディスク６００の情報記録面に対する垂直度の調整を行う調整機構（５３４ａ、５３５ａ、５３７）と、光ピックアップを保持しつつディスクの半径方向への移動を案内する２本のガイド軸（５３１、５３２）と、２本のガイド軸の調整機構の調整方向における一方側にそれぞれ配置される支持板（５３３）と、２本のガイド軸のそれぞれ他方側に配置されるシャーシ（４１０）とを有し、調整機構の少なくとも一部が支持板とシャーシとの間に配置される。【選択図】図２０
2006277940.tif 000002
【特許請求の範囲】
【請求項１】
ターンテーブルに保持されて回転されるディスクに対して光を照射して情報の読取及び／又は書き込みを行う光ピックアップを有するディスクドライブ装置であって、
上記光ピックアップから照射される光の上記ディスクの情報記録面に対する垂直度の調整を行う調整機構と、
上記光ピックアップを保持しつつ上記ディスクの半径方向への移動を案内する２本のガイド軸と、
上記２本のガイド軸の上記調整機構の調整方向における一方側にそれぞれ配置される支持板と、
上記２本のガイド軸のそれぞれ他方側に配置されるシャーシとを有し、
上記調整機構の少なくとも一部が上記支持板と上記シャーシとの間に配置される
ことを特徴とするディスクドライブ装置。
【請求項２】
上記支持板に上記２本のガイド軸が支持されている
ことを特徴とする請求項１に記載のディスクドライブ装置。
【請求項３】
上記調整機構はネジを有し、該ネジが螺合されるネジ孔が上記支持板又は上記シャーシに設けられる
ことを特徴とする請求項１に記載のディスクドライブ装置。
【請求項４】
上記ターンテーブルを回転させるスピンドルモータを支持したステータ基板に上記２本のガイド軸の少なくともどちらか一方の一端が保持される
ことを特徴とする請求項１に記載のディスクドライブ装置。
【請求項５】
ターンテーブルに保持されて回転されるディスクに対して光を照射して情報の読取及び／又は書き込みを行う光ピックアップを有するディスクドライブ装置のベースユニットであって、
上記光ピックアップから照射される光の上記ディスクの情報記録面に対する垂直度の調整を行う調整機構と、
上記光ピックアップを保持しつつ上記ディスクの半径方向への移動を案内する２本のガイド軸と、
上記２本のガイド軸の上記調整機構の調整方向における一方側にそれぞれ配置される支持板と、
上記２本のガイド軸のそれぞれ他方側に配置されるシャーシとを有し、
上記調整機構の少なくとも一部が上記支持板と上記シャーシとの間に配置される
ことを特徴とするディスクドライブ装置のベースユニット。
【発明の詳細な説明】
【技術分野】
【０００１】
本発明は新規なディスクドライブ装置及びそのベースユニットに関する。詳しくは、スキュー調整を簡単に行うことができるようにすると共に、かかるスキュー調整を行う調整機構を省スペースで装置内に配置することができるようにする技術に関する。
【背景技術】
【０００２】
記録媒体ディスクに情報を書き込み又は記録媒体ディスクに記録されている情報を読みとるディスクドライブ装置にあっては、記録媒体ディスクの半径方向に移動する光ピックアップによって情報の読取又は書き込みを行っているが、記録媒体ディスクに対する正確な情報の書き込み又は読取を行うためには、光ピックアップが発射するレーザー光等を記録媒体ディスクの情報記録面に対して垂直に又は特定の角度で正確に照射する必要がある。
【０００３】
そして、ディスクドライブ装置にあっては、光ピックアップを記録媒体ディスクの内周から外周に至るまで自由に移動させるために、光ピックアップを２本のガイド軸で案内し、モータ等の駆動力を光ピックアップに伝達させて移動させるようになっていて、該ガイド軸はシャーシに固定されている。
【０００４】
そこで、光ピックアップから発射されるレーザ光等が記録媒体ディスクの情報記録面に対して垂直になっていない（垂直に対するずれ角度を、以後「スキュー」という。）場合、従来のディスクドライブ装置にあっては、記録媒体ディスクを保持するターンテーブルを回転させるスピンドルモータのシャーシに対する傾きを調整して光ピックアップから照射されるレーザ光等の記録媒体ディスクの情報記録面に対する角度の調整、即ち、スキュー調整を行っていた。
【発明の開示】
【発明が解決しようとする課題】
【０００５】
ところで、従来のディスクドライブ装置のように、スピンドルモータのシャーシに対する傾きを調整することによってスキュー調整を行う場合は、ディスクをターンテーブルに保持したままではスピンドルモータのシャーシに対する傾きの調整を行うことが出来ないので、調整用ディスクの再生を行ってスキュー（レーザ光等のディスクに対する垂直からのずれ）を読み取り、それから、調整用ディスクをターンテーブルから外して、上記スキュー量に応じたスピンドルモータの傾き調整を目分量で行い、再び調整用ディスクの再生を行ってスキューの有無及びその量を確認し、さらに、スピンドルモータの傾き調整を行う、という作業を繰り返して、スキュー調整を行わなければならず、スキュー調整の作業に時間をとられ、これが、装置のコストを高くする原因となるという問題がある。
【０００６】
そこで、本発明は、スキュー調整を簡単に行うことができるようにすると共に、かかるスキュー調整を行う調整機構を省スペースで装置内に配置することができるようにすることを課題とする。
【課題を解決するための手段】
【０００７】
本発明は、上記した課題を解決するために、光ピックアップから照射される光のディスクの情報記録面に対する垂直度の調整を行う調整機構と、光ピックアップを保持しつつディスクの半径方向への移動を案内する２本のガイド軸と、２本のガイド軸の調整機構の調整方向における一方側にそれぞれ配置される支持板と、２本のガイド軸のそれぞれ他方側に配置されるシャーシとを有し、調整機構の少なくとも一部が支持板とシャーシとの間に配置されるものである。
【発明の効果】
【０００８】
従って、本発明にあっては、ターンテーブルから記録媒体ディスクを取り外さなくてもガイド軸の調整端の位置を調整することができる。そのため、スキュー調整の作業をきわめて容易に、且つ、短時間で行うことが可能となる。また、かかるスキュー調整を行う調整機構を省スペースで装置内に配置することが可能になる。
【発明を実施するための最良の形態】
【０００９】
以下に、本発明の実施の形態を添付図面を参照して説明する。尚、図示した実施の形態は、本発明をノート型パーソナルコンピュータに搭載するＣＤ−ＲＯＭドライブに適用したものである。
【００１０】
ＣＤ−ＲＯＭドライブ１００は上下に扁平で全面に開口した外筐２００を備える。
【００１１】
外筐２００はボトムシャーシ２１０と該ボトムシャーシ２１０の上面に固定されたカバー体２２０とを備える。ボトムシャーシ２１０は板金材料で形成され、上面と前面（尚、本明細書において方向を示すときは、図１における左下方を前方、右上方を後方、左上方を左方、右下方を右方、上方を上方、下方を下方として記述する。）が開口した凹部を有する主部２１１の右上縁の後端部を除いた部分から右方へ突出した張り出し部２１２とが一体に形成されて成る。そして、張り出し部２１２の右縁には僅かに上方へ突出した右側面部２１３が形成され、該右側面部２１３の上縁と主部２１１の左側面部２１４の上縁とは同じ高さに位置している。上記主部２１１の底面部２１５のうち右側縁部の前端寄りの位置には係合突起２１６が上方へ向けて突設されており、該係合突起２１６の前面２１６ａは前下がりの傾斜面とされ、後面２１６ｂが係合面とされている。
【００１２】
上記カバー体２２０は板金材料でほぼ平板状に形成され、ボトムシャーシ２１０にその上面を覆うように固定され、これによって、前面に開口し後述の引出部が収容される主空間２３０と該主空間２３０の右端部上端に連続し右方へ延びるディスク用補助空間２３１とが形成される。
【００１３】
主空間２３０の左右両側部にはガイド部材２４０Ｌ、２４０Ｒが固定される。これらガイド部材２４０Ｌと２４０Ｒは合成樹脂で左右対称の形状に形成され、横断面形状でコ字状をしており、互いの開口面が対向する向きでボトムシャーシ２１０に固定されている。ガイド部材２４０Ｌ、２４０Ｒ（これらは左右対称の形状を有するので、左側のもの２４０Ｌについてのみ詳細に説明する。）の下辺部２４１、２４１の開口縁部のうち前後方向におけるほぼ中間の位置には僅かに上方へ突出したストッパ片２４２、２４２が形成されている。また、同じく下辺部２４１、２４１の開口縁部の前端寄りの位置には僅かに上方へ突出した抜け止め片２４３、２４３が形成されている。
【００１４】
上記ガイド部材２４０Ｌ、２４０Ｒにはレール体２５０Ｌ、２５０Ｒが前後方向へ摺動自在に支持されている。該レール体２５０Ｌと２５０Ｒは板金材料を折り曲げ加工して左右対称の形状に形成され、横断面形状でコ字状をしている。これらレール体２５０Ｌ、２５０Ｒは互いの開口面が対向する向きで上記ガイド部材２４０Ｌ、２４０Ｒに前後方向に摺動自在に支持される。即ち、レール体２５０Ｌはガイド部材２４０Ｌに、また、レール体２５０Ｒはガイド部材２４０Ｒに、それぞれ摺動自在に支持される。尚、ガイド部材２４０Ｌ、２４０Ｒのストッパ片２４２、２４２及び抜け止め片２４３、２４３がレール体２５０Ｌ、２５０Ｒの下辺部２５１、２５１の開口縁と摺接し、これによって、レール体２５０Ｌ、２５０Ｒのガイド部材２４０Ｌ、２４０Ｒからの抜けが防止される。
【００１５】
レール体２５０Ｌ、２５０Ｒ（これらは左右対称の形状を有するので、左側のもの２５０Ｌについてのみ詳細に説明する。）の下辺部２５１、２５１の後端には互いの方向に突出したストッパ片２５２、２５２が形成されており、該ストッパ片２５２、２５２が上記ガイド部材２４０Ｌ、２４０Ｒのストッパ片２４２、２４２に後方から係合することによって、それ以上の前方への移動が阻止される。即ち、ガイド部材２４０Ｌ、２４０Ｒから前方への抜けが防止されている。
【００１６】
また、レール体２５０Ｌ、２５０Ｒの下辺部２５１、２５１の開口縁部のうち前後方向における中央から僅かに前方の位置から前端にかけて背の低い抜け止め縁２５３、２５３が上方へ向けて突設されている。
【００１７】
上記の如き外筐２００に引出部３００が収納及び引出可能に支持される。引出部３００は合成樹脂製のトレイ３１０に後述するベースユニットが支持されて成る。
【００１８】
トレイ３１０は平面形状で前後方向に長い長方形の外形を有し、その幅は外筐２００の上記主空間２３０の幅より僅かに小さく形成されている。
【００１９】
トレイ３１０は平面形状で前後方向に長い長方形をした主面部３１１と該主面部３１１の前端縁に垂設された前面壁３１２と主面部３１１の左右両側縁に垂設された左右側面壁３１３、３１４と左右側面壁３１３、３１４の外面に形成された摺動部３１５、３１５とが合成樹脂で一体に形成されて成る。そして、主面部３１１にはその上面にＣＤ−ＲＯＭを配置する円形の一部を為す凹部３１６が形成され、該凹部３１６内に後述するベースユニットを上方へ臨ませるための開口部３１６ａが形成されている。
【００２０】
トレイ３１０の左右両側面壁３１３、３１４の外面には横断面形状で方形を為し前後方向に延びる摺動部３１５、３１５が突設されている。該摺動部３１５、３１５の上端はトレイ３１０の側面壁３１３、３１４の上端より下方に位置し、また、下端部３１５ａ、３１５ａはトレイ３１０の側面壁３１３、３１４より僅かに下方に突出されている。さらに、摺動部３１５、３１５の後端部には内方へ僅かに突出したストッパ突部３１５ｂ、３１５ｂが形成されている。そして、該摺動部３１５、３１５が上記レール体２５０Ｌ、２５０Ｒに摺動自在に支持される。そして、レール体２５０Ｌ、２５０Ｒの抜け止め縁２５３、２５３が摺動部３１５、３１５の下端部３１５ａ、３１５ａの内側側面に摺接して該摺動部３１５、３１５のレール体２５０Ｌ、２５０Ｒの開口面方向への抜けを防止し、また、トレイ３１０がレール体２５０Ｌ、２５０Ｒに対して前方へ移動したときに、摺動部３１５、３１５のストッパ突起３１５ｂ、３１５ｂがレール体２５０Ｌ、２５０Ｒの抜け止め縁２５３、２５３の後端に当接し、レール体２５０Ｌ、２５０Ｒに対するそれ以上の前方への移動が阻止される。
【００２１】
このように、トレイ３１０が外筐２００に収納、引出自在に支持された状態で、上記凹部３１６の上面は外筐２００の張り出し部２１２の上面とほぼ同じ高さに位置するようになっている。
【００２２】
トレイ３１０の主面部３１１の後端部右端の下面にはイジェクター３１７が前後方向に移動自在に支持されている。該イジェクター３１７は板金材料で前後方向に長い板状に形成され、該イジェクター３１７と主面部３１１との間に張設された引張コイルバネ３１７ａによって後方への移動力が付勢されており、その後端が主面部３１１の後端縁から後方へある程度突出したところで停止するようにされている。
【００２３】
トレイ３１０の前面には前面パネル３２０が取り付けられる。前面パネル３２０は合成樹脂で横長の板状に形成され、その左右方向の長さは上記外筐２００の左右方向の長さとほぼ同じになっている。該前面パネル３２０はその左端がトレイ３１０の左端とほぼ一致した状態でトレイ３１０の前面に取り付けられる。前面パネル３２０にはＣＤ−ＲＯＭドライブ１の状態を表示する表示部３２１及びイジェクト釦３２２が設けられ、イジェクト釦３２２を押圧すると後述するイジェクト動作が為されるようになっている。また、上記トレイ３１０の前面壁３１２の右端部には緊急用挿通孔３１８が形成されており、前面パネル３２０の該緊急用挿通孔３１８に対応した位置に挿通孔３２３が形成されている。
【００２４】
上記引出部３００のトレイ３１０が外筐２００内に収納された状態をロックするロック機構３３０が設けられる。
【００２５】
トレイ３１０の主面部３１１の下面のうち前端部寄りの部分の右端部にロックアーム３３１が配置される。該ロックアーム３３１は板金材料を折り曲げ加工して形成され、ほぼ前後方向に長い板状をしており、後端部に係合爪３３２が形成されている。該係合爪３３２は後縁が後ろ上がりの傾斜縁３３２ａとされ、該傾斜縁３３２ａの前端に連続してそこから真上に延びる係合縁３３２ｂが形成されて成る。また、上記係合爪３３２からやや前側の下縁に右方へ折り曲げられた被押圧片３３３が形成され、さらに、前端部の上縁から左方へ突出したバネ当接片３３４が設けられ、該バネ当接片３３４の前縁から前下がりに傾斜した緊急時押圧片３３５が突設されている。
【００２６】
トレイ３１０の主面部３１１下面の前端寄り部分の右端部にロックアーム取付板３３６が固定されている。ロックアーム取付板３３６は前方から見て倒立Ｌ字状を為し、トレイ３１０の主面部３１１下面に固定された取付部３３７の右端縁にトレイ３１０の右側面壁３１４の内面に沿って延びる支持部３３８の前端部上縁が連続されており、該支持部３３８の下縁の前端からやや後方へ寄った位置に左方へ突出したバネ支持片３３９が形成され、該バネ支持片３３９の左端縁からは上方へ突出したバネ外嵌部３３９ａが形成されている。
【００２７】
そして、支持部３３８の前後方向におけるほぼ中央にロックアーム３３１の前後方向における中央よりやや前側の部分が回動自在に支持され、そのバネ当接片３３４がロックアーム取付板３３６のバネ支持片３３９と対向した状態となる。そして、これらバネ当接片３３４とバネ支持片３３９との間に圧縮コイルバネ３４０が介挿され、これによって、ロックアーム３３１にはその後端が下方へ移動する方向への回動力が付勢される。尚、圧縮コイルバネ３４０は上記バネ外嵌部３３９ａに外嵌状に位置され、これによって上記位置からの脱落が防止される。
【００２８】
しかして、引出部３００が外筐２００から最も引き出された状態では、レール体２５０Ｌ、２５０Ｒはその移動範囲の前端、即ち、ストッパ片２５２、２５２がガイド部材２４０Ｌ、２４０Ｒのストッパ片２４２、２４２に後方から係合した位置にあり、また、引出部３００はその移動範囲の前端、即ち、そのストッパ突部３１５ｂ、３１５ｂがレール体２５０Ｌ、２５０Ｒの抜け止め縁２５３、２５３の後端に係合した位置にあり、トレイ３１０の後端まで外筐２００外に引き出された状態にある（図２、図７参照）。この状態におけるトレイ３１０の位置を「引出位置」という。
【００２９】
上記引き出された状態から、引出部３００を外筐２００内に押し込んでいくと、その摺動部３１５、３１５がレール体２５０Ｌ、２５０Ｒに対して後方へ摺動していき、やがて、前面パネル３２０の後面がレール体２５０Ｌ、２５０Ｒの前端に当接する。そこから、更に、引出部３００を押し込んでいくとレール体２５０Ｌ、２５０Ｒが引出部３００と共にガイド部材２４０Ｌ、２４０Ｒに対して後方へ摺動していき、その移動範囲の後端に達し、そのトレイ３１０が外筐２００内に完全に収納された状態となる（図１、図６参照）。この状態におけるトレイ３１０の位置を「引込み位置」という。
【００３０】
そして、図１に示す状態になる直前に、ロックアーム３３１の係合爪３３２の傾斜縁３３２ａが外筐２００の係合突起２１６の傾斜面２１６ａを滑っていき、これによって、ロックアーム３３１は圧縮コイルバネ３４０の弾発力に抗してその後端が上方へ移動するように回動し、図１２に２点鎖線で示す状態になると共に係合爪３３２が係合突起２１６を後側に乗り越え、圧縮コイルバネ３４０の弾発力によってその後端が下方へ移動するように回動してその係合縁３３２ｂが係合突起２１６の係合面２１６ｂと係合する（図１２参照）。これによって、引出部３００はそのトレイ３１０が外筐２００内に完全に収納された引込み位置にロックされる。
【００３１】
また、図１に示す状態になる少し前に、イジェクター３１７の後端が外筐２００のボトムシャーシ２１０の後面部２１７に当接する。そこからさらに、引出部３００が後方へ移動することによって、イジェクター３１７は引張コイルバネ３１７ａの引張力に抗して引出部３００に対して相対的に前方へ移動し、これによって、引張コイルバネ３１７ａが更に引き延ばされて、力が蓄えられる。
【００３２】
前面パネル３２０に設けられた前記イジェクト釦３２２が押圧されると、後述するロック解除機構が作動して、上記ロックアーム３３１がその後端が上方へ移動するように回動され、その係合爪３３２と外筐２００の係合突起２１６との係合が解除され、引張コイルバネ３１７ａに蓄えられた力がイジェクター３１７を引出部３００の後端から突出させ、これによって、引出部３００はその前端部が外筐２００から突出される。そこで、引出部３００の外筐２００から突出した前端部を持って前方へ引き出すと、引出部３００と共にレール体２５０Ｌ、２５０Ｒがガイド部材２４０Ｌ、２４０Ｒに対してそのストッパ片２５２、２５２がガイド部材２４０Ｌ、２４０Ｒのストッパ片２４２、２４２に係合するまで前方へ摺動し、そこからは、引出部３００がレール体２５０Ｌ、２５０Ｒに対してそのストッパ突部３１５ｂ、３１５ｂがレール体２５０Ｌ、２５０Ｒの抜け止め縁２５３、２５３の後端に当接するまで前方へ摺動し、図２に示す、引出位置まで移動する。
【００３３】
尚、電源切れ等の理由で、イジェクト釦３２２を押圧してもイジェクト動作が為されない状況になった緊急時には、前面パネル３２０の挿通孔３２３及びトレイ３１０の緊急用挿通孔３１８を通して細い棒状のものをトレイ３１０内につっこむと、その先端がロックアーム３３１の緊急時押圧片３３５を押圧し、それによって、ロックアーム３３１がその後端が上方へ移動するように回動し、その係合爪３３２と外筐２００の係合突起２１６との係合が解除され、引張コイルバネ３１７ａに蓄えられていた力によって、引出部３００の前端部が外筐２００から突出される。
【００３４】
上記引出部３００のトレイ３１０の主面部３１１の下面にベースユニット４００が支持される。
【００３５】
板金材料から成るサブシャーシ４１０がゴムダンパー４１１、４１１、４１１を介してトレイ３１０の下面に支持される。
【００３６】
サブシャーシ４１０にはそのほとんどを占める大きな開口部４１２が形成されている。該開口部４１２は左前から右後方に向けて延びるほぼ長方形状を為し、その後縁はほぼ左右方向に延びるように他の部分に対して傾斜したピックアップ用開口部４１２ａと、該ピックアップ用開口部４１２ａの後縁に連続しほぼ半円形を為すターンテーブル用開口部４１２ｂと、ピックアップ用開口部４１２ａの右前方を向いた側縁の後端部に連続しほぼ半円強の形状を為すスレッドモータ用開口部４１２ｃとが連続して形成されて成る。
【００３７】
ターンテーブル４２０はその上端部が上記ターンテーブル用開口部４１２ｂからサブシャーシ４１０の上方に突出するように配置される。即ち、スピンドルモータ４２１を支持したステータ基板４２２がサブシャーシ４１０の下面に固定され、上記スピンドルモータ４２１のロータにターンテーブル４２０が一体化されることによって、ターンテーブル４２０が上記位置に配置される。
【００３８】
光ピックアップ５００が上記ピックアップ用開口部４１２ａ内を上記ターンテーブル４２０に対して離接する方向に移動自在に配置される。
【００３９】
光ピックアップ５００は移動ベース５１０に半導体レーザ等を有する図示しない光学ブロック、レーザ光を上記ターンテーブル上に載置されたＣＤ−ＲＯＭに集光させる対物レンズ５２０、該対物レンズ５２０をフォーカシング方向及びトラッキング方向に移動させる２軸アクチュエータ等が搭載されて成る。
【００４０】
上記移動ベース５１０はガイド軸５３１とサブガイド軸５３２によって案内されて移動する。ガイド軸５３１は丸棒状を為し、サブガイド軸５３２は板金材料を折り曲げて形成されている。
【００４１】
サブガイド軸５３２は上記２個のガイド軸５３１、５３２を一体的に支持してガイド軸アッシー５３０とするガイド軸支持板５３３と一体に形成されている。ガイド軸支持板５３３はバネ弾性を有する板金材料で形成され、上記ピックアップ用開口部４１２ａの先端部の幅よりやや長い板状を為し、その右端部にガイド軸支持部５３４が形成され、左端部にサブガイド軸連結部５３５が形成され、さらに、前縁の左右方向における中央部に取付片５３６が突設されている。そして、上記ガイド軸支持部５３４及びサブガイド軸連結部５３５にはそれぞれネジ孔５３４ａ、５３５ａが形成されている。サブガイド軸５３２は長い板状の板金材料の一側縁部をＵ字状に折り曲げてガイド部５３２ａが形成され、該ガイド部５３２ａの後端に連続して取付片５３２ｂが突設され、ガイド部５３２ａの前端がガイド軸支持板５３３のサブガイド軸連結部５３５に一体に連続されている。
【００４２】
そして、ガイド軸支持板５３３のガイド軸支持部５３４に上記ガイド軸５３１の前端部が固定されている。該ガイド軸５３１のガイド軸支持部５３４への固定は接着、ネジ止め等適宜の手段によって良い。このようにして、ガイド軸支持板５３３にガイド軸５３１及びサブガイド軸５３２が一体化されてガイド軸アッシー５３０が形成される。
【００４３】
そして、サブシャーシ４１０のうち上記ピックアップ用開口部４１２ａの前端の中央に対応した縁部の下面に上記ガイド軸支持板５３３の取付片がネジ止め等の適宜な手段によって固定される。また、サブシャーシ４１０の上記ネジ孔５３４ａ、５３５ａに対応した位置に形成されたネジ挿通孔４１３、４１３を上方から挿通された調整ネジ５３７、５３７が上記ネジ孔５３４ａ、５３５ａに各別に螺合される。そして、上記したように、ガイド軸支持板５３３の材料はバネ弾性を有する板金材料であるので、上記調整ネジ５３７、５３７をネジ孔５３４ａ、５３５ａに対して捩じ込むと、ガイド軸支持部５３４、サブガイド軸連結部５３５がサブシャーシ４１０に近づき、逆に、調整ネジ５３７、５３７をネジ孔５３４ａ、５３５ａに対して捩じ戻すと、ガイド軸支持部５３４、サブガイド軸連結部５３５がサブシャーシ４１０から遠去かる。
【００４４】
そして、ガイド軸５３１及びサブガイド軸５３２の後端部が上記ステータ基板４２２に固定される。即ち、ガイド軸５３１の後端部はステータ基板４２２の上面に形成された上向きのＵ字状をした受け部４１４に上方から受け入れられ、該受け部４１４の後ろに隣接した位置に螺合されたネジ４１５の頭部４１５ａがガイド軸５３１の後端を上方から押え、これによってガイド軸５３１の後端部がステータ基板４２２に固定される（図１９参照）。また、サブガイド軸５３２はその後端部の取付片５３２ｂがステータ基板４２２にネジ止めにより固定される（図１９参照）。
【００４５】
移動ベース５１０の右端には被案内部５１１、５１１が突設されこれら被案内部５１１、５１１の間の部分に連結部５１２が形成され、該連結部５１２に連結孔５１２ａが形成されている。また、上記被案内部５１１、５１１には同軸上に位置する被案内孔５１１ａ、５１１ａが形成されている。さらに、移動ベース５１０の左端には上下に離間し且つ平行に突出した被案内片５１３、５１３が形成されている。
【００４６】
しかして、上記ガイド軸５３１が移動ベース５１０の被案内孔５１１ａ、５１１ａに摺動自在に挿通され、また、移動ベース５１０の被案内片５１３、５１３が上記サブガイド軸５３２の上下両面に各別に摺動自在に当接し、これによって、光ピックアップ５００はガイド軸５３１及びサブガイド軸５３２に案内されて移動するようにサブシャーシ４１０に支持される。
【００４７】
ところで、光学ピックアップ５００によるＣＤ−ＲＯＭに対する信号の読取精度は、上記ターンテーブル４２０上に載置されたＣＤ−ＲＯＭに集光されるレーザ光のＣＤ−ＲＯＭに対する垂直度、即ち、上記対物レンズ５２０の光軸のターンテーブル４２０上に載置されたＣＤ−ＲＯＭに対する垂直度にかかわっている。
【００４８】
そこで、対物レンズ５２０の光軸がターンテーブル４２０上に載置されるＣＤ−ＲＯＭに対して垂直になるようにする調整、所謂スキュー調整を行う必要がある。
【００４９】
上記スキュー調整は、上記調整ネジ５３７、５３７を操作して、ガイド軸支持部５３４及び／又はサブガイド軸連結部５３５のサブシャーシ４１０との間隔、即ち、ガイド軸５３１及び／又はサブガイド軸５３２のサブシャーシ４１０と間の間隔を調整することによって行う。
【００５０】
即ち、上記したように、ターンテーブル４２０はステータ基板４２２に固定されたスピンドルモータ４２１と一体的にされているため、ターンテーブル４２０のディスク載置面とステータ基板４２２のスピンドルモータ４２１載置面とは平行であるとみることができ、従って、該ステータ基板４２２に固定されたガイド軸５３１の後端とサブガイド軸５３２の後端とを結ぶ線はターンテーブル４２０のディスク載置面と平行であるとみることが出来る。
【００５１】
そこで、ガイド軸５３１及び／又はサブガイド軸５３２の前端の高さを調整することによって、これらガイド軸５３１及びサブガイド軸５３２に支持されている光ピックアップ５００のスキュー調整を行うことができる。即ち、ガイド軸５３１及びサブガイド軸５３２の前端の高さを個別に調整することによって、タンジェンシャル方向のスキュー調整を行うことができ、また、ガイド軸５３１及びサブガイド軸５３２を同時に同量高さを調整することによってラジアル方向のスキュー調整を行うことができる。
【００５２】
次に、上記光ピックアップ５００をターンテーブル４２０上に載置されるＣＤ−ＲＯＭの半径方向に移動させる機構について説明する。
【００５３】
スレッドモータ５４０を支持したモータ支持板５４１がサブシャーシ４１０の下面に固定され、スレッドモータ５４０はスレッドモータ用開口部４１２ｂに位置される。スレッドモータ５４０のロータ５４０ａの外周部にはそのほぼ半周にわたって駆動ギヤ部５４２が形成されている。また、該駆動ギヤ部５４２の上方から見て反時計回り方向側端に接して解除カム部５４３が形成され、該解除カム部５４３は上方から見てほぼ台形状を為し、その外端面５４３ａは上記駆動ギヤ部５４２の刃先円と同じ円周上にあり、また、該解除カム部５４３の基部は駆動ギヤ部５４２の歯元円と同じ円周上に位置している（図１０、図１１参照）。
【００５４】
上記光ピックアップ５００にはラック部材５５０が連結される。
【００５５】
ラック部材５５０は合成樹脂で形成され、細長い板状をしたラック部５５１の一方の面にはラック歯５５１ａ、５５１ａ、・・・が長手方向に配列形成されている。ラック部５５１のラック歯５５１ａ、５５１ａ、・・・形成面と反対側の面には連結片５５２が突設されており、該連結片５５２の先端部には連結ピン５５２ａが垂設されている。また、連結片５５２が形成された面の連結片５５２を挟んだ２つの位置には倒立Ｌ字状をした係合片５５３、５５３が形成されている。
【００５６】
しかして、ラック部材５５０の係合片５５３、５５３が上記ガイド軸５３１に摺動自在に係合され、また、連結片５５２の連結ピン５５２ａが上記光ピックアップ５００の移動ベース５１０の連結孔５１２ａに係合され、これによって、移動ベース５１０とラック部材５５０とが一体的にガイド軸５３１及びサブガイド軸５３２に案内されて移動されるようになる。また、ラック部材５５０のラック歯５５１ａ、５５１ａ、・・・は上記駆動ギヤ部５４２と噛合される。従って、スレッドモータ５４０が駆動されることによって、回転する駆動ギヤ部５４２によってラック部材５５０が送られ、これと一体的に光ピックアップ５００がガイド軸５３１及びサブガイド軸５３２に案内されてターンテーブル４２０上に載置されたＣＤ−ＲＯＭの半径方向に移動することになる。
【００５７】
次ぎに、引出部３００を外筐２００内に完全に引き込んだ引込み位置へのロックを解除する機構について説明する。
【００５８】
合成樹脂によってほぼ弧状に形成されたロック解除アーム３５０が設けられる。ロック解除アーム３５０は上方から見てほぼ弧状を為し、その前端部に被支持部３５１が形成されている。該被支持部３５１は上下方向に延びる円筒状をしている（図１１参照）。
【００５９】
ロック解除アーム３５０の中央よりやや被支持部３５１寄りの位置の上縁から内側、即ち、円弧の中心側へ突出した被押圧部３５２が突設されている。該被押圧部３５２の前面は突出するに従って後方へ変位する傾斜面３５２ａに形成されている。
【００６０】
また、ロック解除アーム３５０の後端の外側、即ち、円弧の中心と反対側の下端部に下方及び外側に突出した押圧部３５３が形成されている。該押圧部３５３の上面は外側に行くに従って下方へ変位する押圧面３５３ａとされている。
【００６１】
そして、ロック解除アーム３５０はその被支持部３５１にサブシャーシ４１０のスレッドモータ用開口部４１２ｃの縁に沿った位置に垂設された支持軸４１６が回転可能に内嵌され、これによって、ロック解除アーム３５０はサブシャーシ４１０とモータ支持板５４１に回動自在に支持される。尚、該ロック解除アーム３５０はその上端部がサブシャーシ４１０のスレッドモータ用開口部４１２ｃの開口縁とスレッドモータ５４０のロータ５４０ａとの間の隙間に位置し、そして、その被押圧部３５２はスレッドモータ用開口部４１２ｃの開口縁に形成された切欠部４１２ｄ内に位置し、また、押圧部３５３はモータ支持板５４１に形成された切欠部５４１ａ内に位置している。従って、ロック解除アーム３５０がその先端がスレッドモータに近づくように回動したとき、該方向への回動はその押圧部３５３が切欠部５４１ｂの奥縁に当接したところで制限され、依って、ロック解除アーム３５０がスレッドモータ５４０のロータ５４０ａに接触するようなことはない。このように配置されたロック解除アーム３５０の押圧面３５３ａはその先端部が上記ロックアーム３３１の被押圧片３３３に下側から接触又は近接した状態で位置する。
【００６２】
しかして、上記ロック解除機構によるロックの解除は、以下のようにして為される。
【００６３】
図２５に示すように、光ピックアップ５００がターンテーブル４２０上に載置されたＣＤ−ＲＯＭ６００の情報記録領域の最内周に位置した状態では、駆動ギヤ部５４２の時計回り方向側端がロック解除アーム３５０の被押圧部３５２の反時計回り方向に近接した位置にあり、また、図２６に示すように、光ピックアップ５００がＣＤ−ＲＯＭ６００の情報記録領域の最外周に位置した状態では、スレッドモータ５４０のロータ５４０ａに設けられた解除カム部５４３がロック解除アーム３５０の被押圧部３５２に時計回り方向側から近接した位置にある。従って、光ピックアップ５００がＣＤ−ＲＯＭ６００の信号の読取を行っている間は、スレッドモータ５４０のロータ５４０ａの動きはロック解除アーム３５０には何ら影響がない。
【００６４】
前面パネル３２０に設けられたイジェクト釦３２２が押圧されると、スレッドモータ５４０が図２６に示す位置から更に反時計回り方向に回転され、光ピックアップ５００はＣＤ−ＲＯＭ６００の情報記録領域の最外周よりさらに外側まで移動する。そして、この間に、解除カム部５４３がロック解除アーム３５０の被押圧部３５２の傾斜面３５２ａを押圧し、これによって、ロック解除アーム３５０は上方から見て時計回り方向に僅かに回動される。
【００６５】
ロック解除アーム３５０が時計回り方向に回動することによって、その押圧面３５３ａのより高い部分がロックアーム３３１の被押圧片３３３に対応するようになり、該押圧面３５３ａによって該被押圧片３３３が上方へ向けて押圧され、これによってロックアーム３３１はその後端が上方へ移動するように回動し（図１２の２点鎖線参照）、その係合爪３３２と外筐２００の係合突起２１６との係合が解除され、イジェクター３１７と引張コイルバネ３１７ａの作用によって、引出部３００はその前端部が外筐２００から突出される。
【００６６】
そして、この間に、スレッドモータ５４０は時計回り方向に回転をし、光ピックアップ５００をＣＤ−ＲＯＭ６００の情報記録領域の最内周に対応した位置、即ち、ＣＤ−ＲＯＭのＴＯＣを読むことが可能な位置へと移動させる。これによって、解除カム部５４３がロック解除アーム３５０の被押圧部３５２から離れるので、圧縮コイルバネ３４０の弾発力によってロックアーム３３１が元の位置、即ち、その係合爪３３２が外筐２００の係合突起２１６と係合し得る位置に戻り、また、その移動力がロックアーム３３１の被押圧片３３３を介して押圧部３５３の押圧面３５３ａに作用し、これによって、ロック解除アーム３５０はその押圧部３５３がモータ支持板５４１の切欠部５４１ｂの奥縁に当接する位置へと回動する。これによって、引出部３００を再び外筐２００内へ押し込むと、そのトレイ３１０が外筐２００の主空間２３０に完全に収納された引込み位置にロックされる。尚、トレイ３１０の横幅はＣＤ−ＲＯＭ６００の直径より小さくなっているので、ＣＤ−ＲＯＭ６００はターンテーブル４２０に載置された状態ではその右側の部分がトレイ３１０上に収まりきれずトレイ３１０から右方へ飛び出した状態となっている。そこで、外筐２００内に収納された状態では、トレイ３１０から飛び出している部分は外筐２００のディスク用補助空間２３１内に位置される。
【００６７】
上記したディスクドライブ装置１００にあっては、調整ネジ５３７及び／又は５３７を回転操作することにより、ガイド軸５３１及び／又はサブガイド軸５３２の調整端のサブシャーシ４１０との間の間隔を調整して光ピックアップ５００のスキュー調整を行うことが出来る。従って、記録媒体ディスク６００をターンテーブル４２０上に保持したままの状態でスキュー調整を行うことが出来る。
【００６８】
尚、上記実施の形態は、本発明をＣＤ−ＲＯＭドライブに適用したものを示したが、本発明は、ＣＤ−ＲＯＭドライブ以外のディスクドライブ装置に広く適用することができるものである。
【００６９】
尚、上記した実施の形態において示した各部の形状及び構造は、何れも本発明を実施するに当たって行う具体化のほんの一例を示したものにすぎず、これらによって本発明の技術的範囲が限定的に解釈されるようなことがあってはならないものである。
【図面の簡単な説明】
【００７０】
【図１】図２乃至図２７と共に本発明の実施の形態を示すものであり、本図はトレイが引込み位置にある状態を示す全体の斜視図である。
【図２】トレイが引出位置にある状態を示す全体の斜視図である。
【図３】全体の分解斜視図である。
【図４】左側ガイド部材の斜視図である。
【図５】左側レール体の斜視図である。
【図６】トレイが引込み位置にある状態における左側ガイド部材と左側レール体とが結合されたものを示す斜視図である。
【図７】トレイが引出位置にある状態における左側ガイド部材と左側レール体とが結合されたものを示す斜視図である。
【図８】引出部の平面図である。
【図９】引出部の底面図である。
【図１０】ロック機構及びそれに関連した部材を示す斜視図である。
【図１１】ロック機構及びそれに関連した部材を示す分解斜視図である。
【図１２】ロック機構の側面図である。
【図１３】図１２のＸＩＩＩ−ＸＩＩＩ線に沿う断面図である。
【図１４】図１２のＸＩＶ−ＸＩＶ線に沿う断面図である。
【図１５】図１２のＸＶ−ＸＶ線に沿う断面図である。
【図１６】ベースユニットの平面図である。
【図１７】ベースユニットの底面図である。
【図１８】図１６のＸＩＩＩ−ＸＩＩＩ線に沿う断面図である。
【図１９】ガイド軸アッシーの斜視図である。
【図２０】図１６のＸＸ−ＸＸ線に沿う断面図である。
【図２１】移動ベースとラック部材を示す斜視図である。
【図２２】移動ベーストラック部材を示す分解斜視図である。
【図２３】図１６のＸＸＩＩＩ−ＸＸＩＩＩ線に沿う断面図である。
【図２４】図１６のＸＸＩＶ−ＸＸＩＶ線に沿う断面図である。
【図２５】図２６及び図２７と共に光ピックアップとスレッドモータの動作を示す要部の平面図であり、本図は光ピックアップがＣＤ−ＲＯＭの情報記録領域の最内周に位置している状態を示すものである。
【図２６】光ピックアップがＣＤ−ＲＯＭの情報記録領域の最外周に位置している状態を示すものである。
【図２７】光ピックアップがＣＤ−ＲＯＭの情報記録領域の最外周の外側に位置している状態を示すものである。
【符号の説明】
【００７１】
１００…ＣＤ−ＲＯＭドライブ（ディスクドライブ装置）、４００…ベースユニット、４１０…サブシャーシ（シャーシ）、４２０…ターンテーブル、４２１…スピンドルモータ、４２２…ステータ基板、５００…光ピックアップ、５３１…ガイド軸、５３２…サブガイド軸（ガイド軸）、５３３…ガイド軸支持板（支持板）、５３４ａ…ネジ孔（調整機構）、５３５ａ…ネジ孔（調整機構）、５３７…調整ネジ（調整機構）、６００…ＣＤ−ＲＯＭ（ディスク）
【図１】
2006277940.tif 000003
【図２】
2006277940.tif 000004
【図３】
2006277940.tif 000005
【図４】
2006277940.tif 000006
【図５】
2006277940.tif 000007
【図６】
2006277940.tif 000008
【図７】
2006277940.tif 000009
【図８】
2006277940.tif 000010
【図９】
2006277940.tif 000011
【図１０】
2006277940.tif 000012
【図１１】
2006277940.tif 000013
【図１２】
2006277940.tif 000014
【図１３】
2006277940.tif 000015
【図１４】
2006277940.tif 000016
【図１５】
2006277940.tif 000017
【図１６】
2006277940.tif 000018
【図１７】
2006277940.tif 000019
【図１８】
2006277940.tif 000020
【図１９】
2006277940.tif 000021
【図２０】
2006277940.tif 000022
【図２１】
2006277940.tif 000023
【図２２】
2006277940.tif 000024
【図２３】
2006277940.tif 000025
【図２４】
2006277940.tif 000026
【図２５】
2006277940.tif 000027
【図２６】
2006277940.tif 000028
【図２７】
2006277940.tif 000029